(57)【特許請求の範囲】
【請求項１】
複数の蓄電素子が並べられた蓄電素子群に取り付けられる配線モジュールであって、
前記複数の蓄電素子の少なくとも一つに接続される導電部材と、
開口部を有して前記開口部内に前記導電部材が収容されると共に、カバー係止受け部を備えた絶縁プロテクタと、
前記絶縁プロテクタにヒンジを介して前記開口部を開閉回動可能に設けられて前記導電部材を覆うカバーと、
前記カバーに設けられ前記カバー係止受け部に対して前記ヒンジから遠い側から近い側に弾性的に変位することで前記カバー係止受け部と係合して前記カバーを閉鎖状態に保持するカバー係止部と、
前記絶縁プロテクタに設けられ、前記カバーに対して前記ヒンジから遠ざかる方向に力が加えられて前記カバー係止部が前記カバー係止受け部との係合が外れる方向に変位したときに前記カバー係止部に当接することで前記カバー係止部と前記カバー係止受け部との前記係合を支持する弾性変形可能な弾性接触片、を備え、
前記ヒンジから遠ざかる方向の力が前記カバーに加えられない状態における、前記カバー係止部と前記弾性接触片との間のクリアランスは、前記カバー係止部と前記カバー係止受け部との係り代よりも小さく設定され、
前記弾性接触片は、前記カバー係止部の基端側から先端側にかけて前記クリアランスが小さくなるような斜面を備える、配線モジュール。
【請求項２】
前記導電部材は前記複数の蓄電素子の電極端子に電気的に接続されるバスバーである請求項１に記載の配線モジュール。
【請求項３】
前記絶縁プロテクタと前記カバーとは前記ヒンジを介して一体に形成されている請求項１ないし請求項２のいずれか一項に記載の配線モジュール。
【請求項４】
前記絶縁プロテクタは、前記複数の蓄電素子が並べられた方向に沿って、複数の連結ユニットが連結部によって連結されてなり、
前記複数の連結ユニットのそれぞれには、前記カバー係止受け部と、前記弾性接触片と、が形成されている請求項１ないし請求項３のいずれか一項に記載の配線モジュール。
【発明の詳細な説明】
【技術分野】
【０００１】
本発明は、配線モジュールに関する。
【背景技術】
【０００２】
従来、複数の蓄電素子を並べてなる蓄電素子群に取り付けられる配線モジュールが知られている。この配線モジュールは、絶縁プロテクタに設けられた開口部内に導電部材を収容してなる。絶縁プロテクタの開口部にはカバーが取り付けられる。このカバーによって、開口部内に収容された導電部材が覆われるようになっている。
【０００３】
絶縁プロテクタとカバーとは、樹脂プロテクタに形成されたカバー係止受け部と、カバーに形成されたカバー係止部とが係止することにより一体に組み付けられるようになっている。このような係止構造として、特許文献１に記載のものが知られている。
【先行技術文献】
【特許文献】
【０００４】
【特許文献１】特開平９−８８９２７号公報
【発明の概要】
【発明が解決しようとする課題】
【０００５】
上記の構成によると、カバーに対して、カバー係止部とカバー係止受け部との係止が解除される解除方向の力が加えられた時に、カバーが解除方向に移動し、この結果、カバー係止部とカバー係止受け部との係止が解除され、絶縁プロテクタからカバーが外れてしまうことが懸念される。
【０００６】
本発明は上記のような事情に基づいて完成されたものであって、絶縁プロテクタからカバーが外れることが抑制された配線モジュールを提供することを目的とする。
【課題を解決するための手段】
【０００７】
本発明は、複数の蓄電素子が並べられた蓄電素子群に取り付けられる配線モジュールであって、前記複数の蓄電素子の少なくとも一つに接続される導電部材と、開口部を有して前記開口部内に前記導電部材が収容されると共に、カバー係止受け部を備えた絶縁プロテクタと、前記絶縁プロテクタに取り付けられて前記導電部材を覆うと共に、前記カバー係止受け部に係止するカバー係止部を備えたカバーと、を備え、前記絶縁プロテクタには、前記カバーに対して、前記カバー係止部と前記カバー係止受け部との係止が解除される解除方向の力が加えられた時に、前記解除方向と反対方向から前記カバー係止部に当接する弾性変形可能な弾性接触片が形成されている。
【０００８】
本発明によれば、カバー係止部とカバー係止受け部との係止が解除される解除方向にカバー係止部が移動することを抑制することができる。これにより、カバー係止部とカバー係止受け部との係止が解除されることが抑制されるので、絶縁プロテクタからカバーが外れることを抑制することができる。
【０００９】
また、弾性接触片はカバー係止部と接触することにより弾性変形するので、カバー係止部とカバー係止受け部とを係止させる際に、カバー係止部が弾性変形して弾性接触片に接触した場合でも、弾性接触片が弾性変形することにより、カバー係止部の挿入力を低減させることができる。
【００１０】
本発明の実施態様としては以下の態様が好ましい。前記解除方向の力が前記カバーに加えられない状態では、前記カバー係止部と前記弾性接触片との間にはクリアランスが設定されており、前記クリアランスの大きさは、前記カバー係止部と前記カバー係止受け部との係り代よりも小さく設定されていることが好ましい。
【００１１】
上記の態様によれば、カバー係止部と弾性接触片との間にはクリアランスが設定されているので、カバー係止部とカバー係止受け部とを係止させる際に、カバー係止部と弾性接触片とが摺接して、カバー係止部の挿入力が増大することを一層抑制することができる。
【００１２】
一方、解除方向の力がカバーに加えられた場合、カバー係止部はクリアランスの分だけ弾性接触片に向かって移動する。すると、カバー係止部と弾性接触片とが当接する。このとき、クリアランスの大きさは、カバー係止部とカバー係止受け部との係り代よりも小さく設定されているので、カバー係止部と弾性接触片とが当接した状態であっても、カバー係止部とカバー係止受け部との係止が解除されることが抑制される。
【００１３】
前記クリアランスは、前記カバー係止部の基端側と前記弾性接触片との間の基端側クリアランスと、前記カバー係止部の先端部と前記弾性接触片との間の先端側クリアランスと、が設定されており、前記カバー係止部と前記カバー係止受け部とが係止した状態において、前記先端側クリアランスは、前記基端側クリアランスよりも狭く設定されていることが好ましい。
【００１４】
上記の態様によれば、カバー係止部とカバー係止受け部とが係止した状態において、解除方向の力がカバーに対して加えられた時、まず、カバー係止部の先端部と弾性接触片とが接触する。これにより、カバー係止部とカバー係止受け部との係止が解除されることが確実に抑制されるので、絶縁プロテクタからカバーが外れることを確実に抑制することができる。
【００１５】
前記導電部材は前記複数の蓄電素子の電極端子に電気的に接続されるバスバーであることが好ましい。
【００１６】
上記の態様によれば、カバーによってバスバーが覆われることにより、バスバーを電気的に絶縁することができる。
【００１７】
前記絶縁プロテクタと前記カバーとはヒンジを介して一体に形成されていることが好ましい。
【００１８】
上記の態様によれば、配線モジュールの部品点数を削減することができる。
【００１９】
前記絶縁プロテクタは、前記複数の蓄電素子が並べられた方向に沿って、複数の連結ユニットが連結部によって連結されてなり、前記複数の連結ユニットのそれぞれには、前記カバー係止受け部と、前記弾性接触片と、が形成されていることが好ましい。
【００２０】
上記の態様によれば、カバーは各連結ユニットに形成されたカバー係止受け部によって係止されると共に、各連結ユニットに形成された弾性接触片によって、カバー係止部が絶縁プロテクタから外れる方向に移動することが抑制される。これにより、複数箇所においてカバーが確実に係止されるので、カバーが絶縁プロテクタから外れることを確実に抑制することができる。
【発明の効果】
【００２１】
本発明によれば、絶縁プロテクタからカバーが外れることを抑制することができる。
【図面の簡単な説明】
【００２２】
【図１】本発明の実施形態１に係る蓄電モジュールを示す平面図である。
【図２】連結ユニットを示す平面図である。
【図３】検知線カバーが閉じられた状態の連結ユニットを示す平面図である。
【図４】連結ユニットを示す側面図である。
【図５】連結ユニットを示す正面図である。
【図６】図３におけるＶＩ−ＶＩ線断面図である。
【図７】図３におけるＶＩＩ−ＶＩＩ線断面図である。
【図８】図２におけるＶＩＩＩ−ＶＩＩＩ線断面図である。
【図９】図１０におけるＩＸ−ＩＸ線断面図である。
【図１０】検知線カバー及びバスバーカバーが閉じられた状態の連結ユニットを示す平面図である。
【発明を実施するための形態】
【００２３】
＜実施形態１＞
本発明の実施形態１を、図１ないし図１０を参照しつつ説明する。図１に示すように、本実施形態に係る配線モジュール１０は、複数（本実施形態では１２個）の蓄電素子１１を並べてなる蓄電素子群１２に取り付けられて蓄電モジュール１３を構成する。蓄電モジュール１３は、電気自動車又はハイブリッド自動車等の車両（図示せず）に搭載されて、車両を駆動するための動力源として使用される。
【００２４】
以下の説明においては、図１における左方を左方とし、右方を右方とする。また、図１における下方を前方とし、上方を後方とする。また、図４における上方を上方とし、下方を下方とする。また、以下の説明において、複数の同一部材については、一の部材に符号を付し、他の部材については符号を省略することがある。
【００２５】
（蓄電素子１１）
本実施形態に係る蓄電素子１１は二次電池である。蓄電素子１１の内部には図示しない蓄電要素が収容されている。蓄電素子１１は略直方体形状をなしている。蓄電素子１１の上面には前後方向の両端部寄りの位置に、一対の電極端子１４が上方に突出して形成されている。電極端子１４の一方は正極端子であり、他方は負極端子である。蓄電素子１１は、隣り合う電極端子１４が異なる極性となるように配置されている。複数の蓄電素子１１は左右方向に並べられて蓄電素子群１２を構成している。
【００２６】
（配線モジュール１０）
蓄電素子群１２の上面には配線モジュール１０が取り付けられている。配線モジュール１０は、左右方向に細長い形状をなしている。本実施形態に係る配線モジュール１０は、蓄電素子群１２の前端部寄りの位置に配された前側配線モジュール１０Ａと、後端部寄りの位置に配された後側配線モジュール１０Ｂと、が前後に接続されてなる。
【００２７】
配線モジュール１０は、絶縁プロテクタ１５と、絶縁プロテクタ１５に収容された複数のバスバー１６（導電部材に相当）と、絶縁プロテクタ１５に取り付けられてバスバー１６を上方から覆うバスバーカバー１７（カバーに相当）と、を備える。
【００２８】
（絶縁プロテクタ１５）
絶縁プロテクタ１５は、絶縁性の合成樹脂からなる複数の連結ユニット１８を連結してなる。本実施形態においては、前側配線モジュール１０Ａを構成する絶縁プロテクタ１５は、６つの連結ユニット１８を左右方向に連結してなる。また、後側配線モジュール１０Ｂを構成する絶縁プロテクタ１５は、７つの連結ユニット１８を左右方向に連結してなる。複数の連結ユニット１８は、蓄電素子群１２において、複数の蓄電素子１１が並べられた方向に沿って連結されている。
【００２９】
（バスバー１６）
バスバー１６は、金属板材を所定形状にプレス加工してなる。金属板材としては、銅、銅合金、鉄、鉄合金、アルミニウム、アルミニウム合金等、必要に応じて任意の金属を適宜に選択できる。バスバー１６は上方から見て左右方向に細長く延びた形状をなしている。バスバー１６には、電極端子１４が挿通される端子貫通孔１９Ａがバスバー１６を貫通して形成されている。端子貫通孔１９Ａ内に電極端子１４が貫通された状態で、ねじ山が形成された電極端子１４にナット（図示せず）が螺合されることにより、電極端子１４とバスバー１６とが電気的に接続される。
【００３０】
（電圧検知端子２０）
バスバー１６の上には蓄電素子１１の電圧を検知する電圧検知端子２０が重ねられている。電圧検知端子２０は、金属板材を所定形状にプレス加工してなる。金属板材としては銅、銅合金、鉄、鉄合金、アルミニウム、アルミニウム合金等、必要に応じて任意の金属を適宜に選択できる。電圧検知端子２０は、板状をなす電極接続部２１と、電極接続部２１からオフセットされた形状で延出されたバレル部２２と、を備える。
【００３１】
電極接続部２１には、電極端子１４が挿通される端子貫通孔１９Ｂが形成されている。電圧検知端子２０は、バスバー１６によって接続される隣り合う電極端子１４の一方において、ナット（図示せず）とバスバー１６との間に挟まれることにより、電極端子１４に電気的に接続されるようになっている。
【００３２】
バレル部２２には、電圧検知線２３の一方の端部が圧着されている。電圧検知線２３の他方の端部は、例えばＥＣＵのような外部接続機器（図示せず）に接続されている。バレル部２２は電極接続部２１の側方から延出されている。
【００３３】
（連結ユニット１８）
図２に示すように、各連結ユニット１８は合成樹脂製であって、バスバー１６及び電圧検知端子２０が収容される収容部２４と、収容部２４を上方から覆うバスバーカバー１７と、収容部２４から導出される電圧検知端子２０のバレル部２２を保持するバレル保持部２５と、電圧検知線２３が配索される検知線配索溝２６と、検知線配索溝２６を上方から覆う検知線カバー２７と、を備える。
【００３４】
図２に示すように、収容部２４は上方から見て左右方向に細長い概ね長方形状をなしており、バスバー１６よりもやや大きな形状とされている。収容部２４には上方に開口する開口部２８が形成されており、この開口部２８内にバスバー１６及び電圧検知端子２０が収容されるようになっている。
【００３５】
図２に示すように、収容部２４は、バスバー１６の側方に配された周壁２９を有する。周壁２９は、左右方向の一方が開口されている。周壁２９は、バレル保持部２５側に位置する第１周壁２９Ａと、第１周壁２９Ａに対向する第２周壁２９Ｂと、第１周壁２９Ａの左端と第２周壁２９Ｂの左端を連結する第３周壁２９Ｃと、を備える。本実施形態においては、周壁２９は、図２における右方が開口されている。
【００３６】
複数の連結ユニット１８が連結されると、周壁２９のうち開口された部分が、隣に位置する連結ユニット１８の第３周壁２９Ｃによって塞がれる。これにより、複数の連結ユニット１８が連結された状態では、バスバー１６の周囲は、バスバー１６が収容された連結ユニット１８の第１周壁２９Ａ、第２周壁２９Ｂ、及び第３周壁２９Ｃと、隣に位置する連結ユニット１８の第３周壁２９Ｃによって囲まれた状態になっている。
【００３７】
第１周壁２９Ａには、バレル保持部２５に対応する位置に、バレル部２２が導出される後側切欠部３０が形成されている。後側切欠部３０はバレル保持部２５の後端部（図２における上端部）に連なっている。バレル保持部２５は上方に開口する溝状に形成されている。
【００３８】
第２周壁２９Ｂの外壁には、バスバーカバー１７がバスバーカバーヒンジ３１（ヒンジに相当）を介して連結されている。バスバーカバー１７は、バスバーカバーヒンジ３１を軸に回動することにより、収容部２４を上方から覆うようになっている。これにより、バスバーカバー１７は、収容部２４の開口部２８内に収容されたバスバー１６を上方から覆うようになっている。
【００３９】
バレル保持部２５の前端部（図２における下端部）は、電圧検知線２３が収容される検知線配索溝２６に連通している。検知線配索溝２６は上方に開口して形成されている。検知線配索溝２６は、左右方向に延びた底壁３２と、底壁３２の前後両端部から上方に立ち上がると共に左右方向に延びた前側壁３３Ａ及び後側壁３３Ｂを備える。前側壁３３Ａは底壁３２に対して前側に位置しており、後側壁３３Ｂは底壁３２に対して後側に位置している。前側壁３３Ａには、バレル保持部２５に対応する位置に、電圧検知線２３が検知線配索溝２６へと導出される前側切欠部３４が形成されている。
【００４０】
前側壁３３Ａの外壁には、検知線カバー２７が検知線カバーヒンジ３５を介して連結されている。検知線カバー２７は、検知線カバーヒンジ３５を軸に回動することにより、検知線配索溝２６と、バレル保持部２５を、上方から覆うようになっている。これにより、検知線カバー２７は、検知線配索溝２６及びバレル保持部２５に収容された電圧検知線２３を上方から覆うようになっている（図６参照）。
【００４１】
バレル保持部２５の左右両側には、隣り合う連結ユニット１８同士を連結する主連結突部３７（連結部に相当）と、主連結受け部３８（連結部に相当）とが形成されている。連結ユニット１８の主連結突部３７を隣接する連結ユニット１８の主連結受け部３８に嵌合させると、主連結突部３７と主連結受け部３８とが係合して連結ユニット１８同士が連結される。
【００４２】
また、バスバーカバー１７の後端部寄りの位置には、左右両側に、隣り合うバスバーカバー１７同士を連結する副連結突部４０（連結部に相当）と、副連結受け部４１（連結部に相当）とが形成されている。バスバーカバー１７の副連結突部４０を隣接するバスバーカバー１７の副連結受け部４１に嵌合させると、副連結突部４０と副連結受け部４１とが係合してバスバーカバー１７同士が連結される。
【００４３】
（検知線カバー２７の係止構造）
図２に示すように、後側壁３３Ｂの外壁には、バレル保持部２５の左右両側方に、検知線カバー２７に形成された検知線カバー係止部４３に係止する検知線カバー係止受け部４２が突出して形成されている。
【００４４】
一方、図４及び図５に示すように、検知線カバー２７には、検知線カバー２７が検知線配索溝２６及びバレル保持部２５を覆った状態において、検知線カバー係止受け部４２に対応する位置に、弾性変形可能な検知線カバー係止部４３が形成されている。検知線カバー係止部４３は、枠状をなしている。検知線カバー係止部４３は、検知線カバー係止受け部４２に当接して弾性変形し、その後、検知線カバー係止受け部４２を乗り越えて復帰変形することにより、検知線カバー係止受け部４２と弾性的に係止するようになっている（図６参照）。なお、図６には、説明の便宜のため、電圧検知線２３が記載されている。
【００４５】
図７に示すように、検知線カバー２７には、第１周壁２９Ａに対向する部分に当接リブ４４が形成されている。この当接リブ４４は、検知線カバー係止部４３と、検知線カバー係止受け部４２との係止が解除される解除方向（図７における矢線Ａで示す方向）の力が検知線カバー２７に加えられた時に、第１周壁２９Ａの上端部に解除方向から当接するようになっている。これにより、検知線カバー係止部４３と検知線カバー係止受け部４２との係止が解除されることが抑制されるようになっている。
【００４６】
（バスバーカバー１７の係止構造）
図２及び図８に示すように、第１周壁２９Ａの外壁には、バレル保持部２５の左方に、バスバーカバー１７に形成されたバスバーカバー係止部４６（カバー係止部に相当）に係止するバスバーカバー係止受け部４５（カバー係止受け部に相当）が突出して形成されている。
【００４７】
一方、図９に示すように、バスバーカバー１７には、バスバーカバー１７が開口部２８を覆った状態において、バスバーカバー係止受け部４５に対応する位置に、弾性変形可能なバスバーカバー係止部４６が形成されている。バスバーカバー係止部４６は、バスバーカバー１７の板面から略垂直に突出して形成されている。バスバーカバー係止部４６の先端部には、バスバーカバー係止受け部４５に向かって突出する係止突部４７が形成されている。なお、図９においては、説明の便宜のため、検知線カバー２７が省略されている。
【００４８】
バスバーカバー１７を上方から収容部２４の開口部２８を塞ぐように取り付けると、係止突部４７がバスバーカバー係止受け部４５に上方から当接して、バスバーカバー係止部４６が弾性変形する。更にバスバーカバー１７を下方に移動させると、バスバーカバー係止部４６はバスバーカバー１７係止突部４７を乗り越えて復帰変形する。すると、バスバーカバー係止受け部４５と、バスバーカバー係止部４６の係止突部４７とが係止する。これにより、バスバーカバー１７が収容部２４に取り付けられるようになっているこれにより、バスバーカバー１７は、バスバー１６を覆うようになっている（図１０参照）。
【００４９】
図２及び図８に示すように、連結ユニット１８には、バスバーカバー係止受け部４５に対向する位置に、弾性変形可能な弾性接触片４８が下方に延びて形成されている。弾性接触片４８は、下方に向かうに従って、バスバーカバー係止受け部４５側に接近するように曲がって形成されている。
【００５０】
図９に示すように、弾性接触片４８は、バスバーカバー係止部４６とバスバーカバー係止受け部４５との係止が解除される解除方向（図９における矢線Ｂで示される方向）を向く力がバスバーカバー１７に加えられた時に、解除方向と反対方向からバスバーカバー係止部４６に当接するようになっている。
【００５１】
バスバーカバー１７が収容部２４の開口部２８を塞ぐように絶縁プロテクタ１５に取り付けられた状態で、且つ、解除方向の力がバスバーカバー１７に加えられない状態では、バスバーカバー係止部４６と弾性接触片４８との間にはクリアランスが設定されている。このクリアランスは、バスバーカバー係止部４６の基端部と弾性係止片との間の基端側クリアランスＰと、バスバーカバー係止部４６の先端部と弾性係止片との間の先端側クリアランスＱと、が設定されている。
【００５２】
基端側クリアランスＰ及び先端側クリアランスＱの大きさは、バスバーカバー係止部４６の係止突部４７と、バスバーカバー係止受け部４５との係り代Ｌよりも小さく設定されている。更に、先端側クリアランスＱの大きさは、基端側クリアランスＰの大きさよりも小さく設定されている。
【００５３】
（本実施形態の作用、効果）
続いて、本実施形態の作用、効果について説明する。本実施形態においては、絶縁プロテクタ１５には、バスバーカバー１７に対して、バスバーカバー係止部４６とバスバーカバー係止受け部４５との係止が解除される解除方向の力が加えられた時に、解除方向と反対方向からバスバーカバー係止部４６に当接する弾性変形可能な弾性接触片４８が形成されている。これにより、バスバーカバー係止部４６とバスバーカバー係止受け部４５との係止が解除される解除方向にバスバーカバー１７が移動することを抑制することができる。この結果、バスバーカバー係止部４６とバスバーカバー係止受け部４５との係止が解除されることが抑制されるので、絶縁プロテクタ１５からバスバーカバー１７が外れることを抑制することができる。
【００５４】
また、弾性接触片４８はバスバーカバー係止部４６と接触することにより弾性変形するので、バスバーカバー係止部４６とバスバーカバー係止受け部４５とを係止させる際に、バスバーカバー係止部４６が弾性変形して弾性接触片４８に接触した場合でも、弾性接触片４８が弾性変形することにより、バスバーカバー係止部４６の挿入力を低減させることができる。
【００５５】
また、本実施形態においては、解除方向の力がバスバーカバー１７に加えられない状態では、バスバーカバー係止部４６と弾性接触片４８との間には、基端側クリアランスＰ及び先端側クリアランスＱが設定されており、この基端側クリアランスＰ及び先端側クリアランスＱの大きさは、バスバーカバー係止部４６とバスバーカバー係止受け部４５との係り代Ｌよりも小さく設定されている。これにより、バスバーカバー係止部４６とバスバーカバー係止受け部４５とを係止させる際に、バスバーカバー係止部４６と弾性接触片４８とが摺接して、バスバーカバー係止部４６の挿入力が増大することを一層抑制することができる。
【００５６】
一方、解除方向の力がバスバーカバー１７に加えられた場合、バスバーカバー係止部４６は基端側クリアランスＰ又は先端側クリアランスＱの分だけ弾性接触片４８に向かって移動する。すると、バスバーカバー係止部４６と弾性接触片４８とが当接する。このとき、基端側クリアランスＰ及び先端側クリアランスＱの大きさは、バスバーカバー係止部４６とバスバーカバー係止受け部４５との係り代Ｌよりも小さく設定されているので、バスバーカバー係止部４６と弾性接触片４８とが当接した状態であっても、バスバーカバー係止部４６とバスバーカバー係止受け部４５との係止が解除されることが抑制される。
【００５７】
また、クリアランスは、カバー係止部の基端側と弾性接触片４８との間の基端側クリアランスＰと、カバー係止部の先端部と弾性接触片４８との間の先端側クリアランスＱと、が設定されており、カバー係止部とカバー係止受け部とが係止した状態において、先端側クリアランスＱは、基端側クリアランスＰよりも狭く設定されている。これにより、バスバーカバー係止部４６とバスバーカバー係止受け部４５とが係止した状態において、バスバーカバー１７に対して、解除方向の力が加えられた時、まず、バスバーカバー係止部４６の先端部と弾性接触片４８とが接触する。これにより、バスバーカバー係止部４６とバスバーカバー係止受け部４５との係止が解除されることが確実に抑制されるので、絶縁プロテクタ１５からバスバーカバー１７が外れることを確実に抑制することができる。
【００５８】
また、本実施形態によれば、導電部材として複数の蓄電素子１１の電極端子１４に電気的に接続されるバスバー１６が用いられている。このバスバー１６がバスバーカバー１７によって覆われることにより、バスバー１６を電気的に絶縁することができる。
【００５９】
また、本実施形態によれば、絶縁プロテクタ１５とバスバーカバー１７とはバスバーカバーヒンジ３１を介して一体に形成されている。これにより、配線モジュール１０の部品点数を削減することができる。
【００６０】
また、絶縁プロテクタ１５は、複数の蓄電素子１１が並べられた方向に沿って、複数の連結ユニット１８が主連結突部３７及び主連結受け部３８、並びに副連結突部４０及び副連結受け部４１によって連結されてなり、複数の連結ユニット１８のそれぞれには、バスバーカバー係止受け部４５と、弾性接触片４８と、が形成されている。これにより、バスバーカバー１７は各連結ユニット１８に形成されたバスバーカバー係止受け部４５によって係止されると共に、各連結ユニット１８に形成された弾性接触片４８によって、バスバーカバー係止部４６が絶縁プロテクタ１５から外れる方向に移動することが抑制される。これにより、複数箇所においてバスバーカバー１７が確実に係止されるので、バスバーカバー１７が絶縁プロテクタ１５から外れることを確実に抑制することができる。
【００６１】
＜他の実施形態＞
本発明は上記記述及び図面によって説明した実施形態に限定されるものではなく、例えば次のような実施形態も本発明の技術的範囲に含まれる。
【００６２】
（１）本実施系形態に係る導電部材はバスバー１６としたが、これに限られず、導電部材が電圧検知線２３であって、且つカバーが検知線カバー２７であってもよく、また、導電部材が蓄電素子１１に対して伝熱的に接続されるサーミスタ及びこのサーミスタから導出されるリード線であって、且つカバーがサーミスタ及びリード線を覆うカバーであってもよい。導電部材及びカバーは、必要に応じて任意の部材を選択しうる。
【００６３】
（２）本実施形態においては、バスバーカバー１７はバスバーカバーヒンジ３１を介して絶縁プロテクタ１５に一体に形成される構成としたが、これに限られず、バスバーカバー１７は絶縁プロテクタ１５と別部品としてもよい。
【００６４】
（３）本実施形態においては、主連結突部３７及び主連結受け部３８、並びに副連結突部４０及び副連結受け部４１は連結ユニット１８に一体に設けられる構成としたが、これに限られず、連結ユニット１８は、連結ユニット１８とは別体に形成された連結部によって連結される構成としてもよい。
【００６５】
（４）本実施形態においては、蓄電素子１１として二次電池を用いたが、これに限られず、蓄電素子１１としては、キャパシタ、コンデンサを用いてもよい。
【００６６】
（５）本実施形態においては、バスバーカバー１７に解除方向の力が加えられない状態では、バスバーカバー係止部４６と弾性接触片４８との間にクリアランスが設定される構成としたが、バスバーカバー係止部４６と弾性接触片４８との間にクリアランスを設定しない構成としてもよい。
【００６７】
（６）基端側クリアランスＰの大きさと、先端側クリアランスＱの大きさとは、同じ大きさに設定されていてもよい。
【００６８】
（７）本実施形態においては、複数の連結ユニット１８が連結されることにより絶縁プロテクタ１５が形成される構成としたが、これに限られず、絶縁プロテクタ１５は、複数のバスバー１６を収容する１つの部材としてもよい。
【符号の説明】
【００６９】
１０：配線モジュール
１１：蓄電素子
１２：蓄電素子群
１５：絶縁プロテクタ
１６：バスバー（導電部材）
１７：バスバーカバー（カバー）
１８：連結ユニット
２８：開口部
３１：バスバーカバーヒンジ（ヒンジ）
３７：主連結突部（連結部）
３８：主連結受け部（連結部）
４０：副連結突部（連結部）
４１：副連結受け部（連結部）
４５：バスバーカバー係止受け部（カバー係止受け部）
４６：バスバーカバー係止部（カバー係止部）
４８：弾性接触片
Ｐ：基端側クリアランス（クリアランス）
Ｑ：先端側クリアランス（クリアランス）
【図１】
0006044461.tif 000002
【図２】
0006044461.tif 000003
【図３】
0006044461.tif 000004
【図４】
0006044461.tif 000005
【図５】
0006044461.tif 000006
【図６】
0006044461.tif 000007
【図７】
0006044461.tif 000008
【図８】
0006044461.tif 000009
【図９】
0006044461.tif 000010
【図１０】
0006044461.tif 000011